(57)【要約】      （修正有）【課題】噴霧器を単独で販売可能とするファン噴霧器の固定装置を提供する。【解決手段】噴霧器の水タンクは、ポンプと別々に設置し、ポンプはハウジング３内に固定し、固定装置７はサポート板７０、タイトニング部品７５を備え、ネジにより固定装置７に組み付け、固定装置７により、サポート板７０上に螺固するハウジング３とファン或いは固定フレームとは結合し、ハウジング３は少なくとも片側に嵌接槽７１を陥没状に設置し、嵌接槽７１両側には少なくとも各１個のネジ孔７３をそれぞれ備え、タイトニング部品７５中央はサポート板７０の嵌接槽７１に対応し凹部７６を備え、凹部７６と嵌接槽７１との間には螺固区間を構成し、タイトニング部品７５両側はそれぞれ外へと翼板７７を延伸し、翼板７７はネジ孔７３に対応してそれぞれ貫通孔７８を備え、ネジ一端は翼板７７の貫通孔７８を通過後、ネジ孔７３に螺接される。【選択図】図３
0003191083.tif 000002
【実用新案登録請求の範囲】
【請求項１】
ファン噴霧器の固定装置において、前記固定装置は、噴霧器のハウジングを、ファン或いは固定フレームの管体上に螺合することができ、しかも前記噴霧器のハウジングは、水タンクと分離でき、前記噴霧器のハウジング内部には、ポンプを設置し、
前記固定装置は、サポート板、タイトニング部品を備え、
前記サポート板は、板面に、前記ハウジングを固定し、片側には、嵌接槽を陥没状に設置し、
前記タイトニング部品は、中央は、前記サポート板の嵌接槽に対応し、凹部を備え、前記凹部と前記嵌接槽とは、螺固区間を区画して形成し、
前記タイトニング部品は、ネジにより、前記サポート板と螺合して接続され、これにより前記螺固区間は、前記ファンの管体を挟持でき、前記噴霧器のハウジングと前記ファン或いは前記固定フレームと、結合して固定されることを特徴とするファン噴霧器の固定装置。
【請求項２】
前記噴霧器は、円形管、複数の弾性部品を備え、
前記円形管は、前記ファンの前ファンネット上に固定し、
前記円形管には、複数のノズルヘッドを固定し、
前記各弾性部品は、前記円形管の外側に設置し、放射状を呈して配列し、一端は、前記円形管と固定し、反対端は、前記前ファンネットの骨組み上に掛けて固定することを特徴とする請求項１に記載のファン噴霧器の固定装置。
【請求項３】
前記サポート板の嵌接槽両側には、少なくとも各１個のネジ孔をそれぞれ備え、
前記タイトニング部品両側は、それぞれ外へと翼板を延伸し、前記翼板は、前記ネジ孔に対応し、それぞれ貫通孔を備え、
これに前記ネジを通して、前記タイトニング部品と前記サポート板とを結合することを特徴とする請求項１或いは２に記載のファン噴霧器の固定装置。
【請求項４】
前記噴霧器のハウジングには、コンセントを設置し、
前記コンセントと前記ハウジング内部の電源供給端とは、連接することを特徴とする請求項１或いは２に記載のファン噴霧器の固定装置。
【請求項５】
前記サポート板中心には、開口を備え、
前記開口には、前記ハウジング内のポンプの管部品を通過させることを特徴とする請求項３に記載のファン噴霧器の固定装置。
【請求項６】
前記タイトニング部品は、可塑性を備えることを特徴とする請求項３に記載のファン噴霧器の固定装置。
【請求項７】
前記管体は、ファンの立管であることを特徴とする請求項６に記載のファン噴霧器の固定装置。
【請求項８】
前記管体は、ファンの三脚スタンドであることを特徴とする請求項６に記載のファン噴霧器の固定装置。
【考案の詳細な説明】
【技術分野】
【０００１】
本考案はファン噴霧器の固定装置に関し、特に噴霧器は固定装置により、ファン或いは固定フレームと結合して固定され、これにより噴霧器はファンと離して単独で販売することができるファン噴霧器の固定装置に関する。
【背景技術】
【０００２】
ファンを噴霧器に設置すると、噴霧器の噴射ヘッドは、ファンのファンネット上に分散して分布する。噴霧器が噴出する水霧は、ファンが吹き出す風に乗って拡散し、周囲の温度を低下させることができる。従来のファンに設置する噴霧器は、ミストファン１と呼ばれる。図１に示すように、ミストファン１は、ファン１０、噴霧器１１を備える。噴霧器１１の水タンク１０１、ポンプは、一体に結合する。ファン１０の底台１０２と立管１０３とは、固定して接続する。従来のミストファン１では、噴霧器１１とファン１０とは、一体に固定して接続し、分割不能な形態を呈する。そのため、購入時には、両者を分解することができず、一緒に購入しなければならない。家庭内に既に扇風機があっても、噴霧器１１を単独で購入し、取り付けることはできない。また、ミストファン１のファン１０と噴霧器１１との何れかが損壊し使用不能となった場合にも、一緒に廃棄しなければならず、資源の浪費である。
本考案は、従来のミストファンの上記した欠点に鑑みてなされたものである。
【考案の概要】
【考案が解決しようとする課題】
【０００３】
本考案が解決しようとする課題は、噴霧器を単独で販売可能とし、ファン或いは固定フレームと結合することができるファン噴霧器の固定装置を提供することである。
【課題を解決するための手段】
【０００４】
上記課題を解決するため、本考案は下記のファン噴霧器の固定装置を提供する。
ファン噴霧器の固定装置において、噴霧器の水タンクは、ポンプと分離でき、
該ポンプはハウジング内部に固定し、
該固定装置は、サポート板、タイトニング部品を備え、ネジにより固定装置に組み付け、
該固定装置により、該サポート板上に螺固するハウジングとファン或いは固定フレームとは結合し、
該サポート板は、板面に、該ポンプのハウジングを固定し、該サポート板片側には、嵌接槽を陥没状に設置し、該嵌接槽両側には、少なくとも各１個のネジ孔をそれぞれ備え、  該タイトニング部品中央は、該サポート板の嵌接槽に対応し、凹部を備え、該凹部と該嵌接槽との間には、螺固区間を構成し、
該タイトニング部品両側は、それぞれ外へと翼板を延伸し、該翼板は、該ネジ孔に対応し、それぞれ貫通孔を備え、
該ネジ一端は、該翼板の貫通孔を通過後、該ネジ孔に螺接され、これにより該ポンプハウジングを固定するサポート板と該タイトニング部品とは、該螺固区間により、該ファン或いは該固定フレームの管体(立管或いは三脚スタンド)上に固定し、
これにより該噴霧器のポンプハウジングとファン或いは固定フレームの管体とは結合して固定され、噴霧器を単独で販売可能となる。
【考案の効果】
【０００５】
本考案のファン噴霧器の固定装置により、噴霧器を単独で販売することができ、噴霧器をファン或いは固定フレームと結合することができる。
【図面の簡単な説明】
【０００６】
【図１】従来のミストファンの立体図である。
【図２】本考案実施形態の組合せ立体図である。
【図３】本考案実施形態による固定装置とポンプハウジングの立体分解図である。
【図４】本考案実施形態による側視図である。
【図５】図４の５−５位置における断面図である。
【図６】本考案実施形態による弾性部品が、円形管と前ファンネットとを結合して固定する様子を示す模式図である。
【図７】本考案実施形態による弾性部品が、小直径円形管を固定する様子を示す使用模式図である。
【考案を実施するための形態】
【０００７】
以下に図面を参照しながら本考案を実施するための最良の形態について詳細に説明する。
【実施例】
【０００８】
本考案噴霧器の水タンク２は、ポンプと別々に設置することができる。ポンプは、ハウジング３内に固定する。ハウジング３は、複数の管部品４により、水タンク２を連接する。ハウジング３外側面には、コンセント３０を設置する。コンセント３０とハウジング３内部の電源供給端とは、連接する。ハウジング３は、出水管５を備え、ファン６前ファンネット６０に固定する円形管５１と連接する。円形管５１外周には、複数のノズルヘッド５０を設置する。円形管５１は、複数の弾性部品６１（バネ）により、ファン６の前ファンネット６０上に固定する。その固定方式は、各弾性部品６１を、放射状に配列する方式で、円形管５１の外側に設置し、一端は、円形管５１と固定し、反対端は、前ファンネット６０の骨組み上に掛けて固定する（図４、７参照）。これにより、各弾性部品６１は、円形管５１を牽引し周囲へと移動させる力を備え、固定する。図３、５に示すように、本考案は固定装置７を備え、ハウジング３を、ファン６の管体６２(立管或いは三脚スタンドなど)上に螺合して固定し、或いはファン６に隣接する固定フレームの管体上に位置する。固定装置７は、サポート板７０、タイトニング部品７５を備える。  
【０００９】
サポート板７０は、板面に、ポンプのハウジング３を固定し、片側には、嵌接槽７１を陥没状に設置する。サポート板７０のサポート板面には、開口７２を設置する。開口７２には、ハウジング３の管部品４を通過させる。嵌接槽７１の両側には、少なくとも各１個のネジ孔７３をそれぞれ備える。
【００１０】
タイトニング部品７５は、可塑性を備え、中央は、サポート板７０の嵌接槽７１に対応し、凹部７６を備える。タイトニング部品７５両側は、それぞれ外へと翼板７７を延伸する。翼板７７は、ネジ孔７８に対応し、それぞれ貫通孔７８を備える。サポート板７０とタイトニング部品７５とが、螺合して固定後、凹部７６と嵌接槽７１とは、螺固区間７９を区画して形成する。
【００１１】
少なくとも２個のネジは、一端がタイトニング部品７５の貫通孔７８を貫通後、サポート板７０のネジ孔７３と螺合して接続し、タイトニング部品７５とサポート板７０とを、相互に結合する。
【００１２】
図３〜５に示すように、組立て時には、サポート板７０の嵌接槽７１を、ファン６の管体６２片側に嵌め入れる。次に、タイトニング部品７５の凹部７６に、ファン６の管体６２の反対側を嵌め入れる。嵌接槽７１と凹部７６とが構成する螺固区間７９により、ファン６の管体６２を挟持する。さらに、ネジ８を貫通孔７８に挿入後、ネジ孔７３と螺合して接続し、サポート板７０を、ファン６の管体６２上に固定する。こうして、ハウジング３は、サポート板７０上に設置されて螺合され、ハウジング３は、サポート板７０上に固定される（図２、４参照）。よって、噴霧器はファン６と分離及び結合可能であるため、噴霧器は単独で販売され、既存の、或いはあらゆるファンと結合させることができる。噴霧器の固定装置７のタイトニング部品７５は、可塑性を備えるため、ハウジング３は、異なる管径のファン６の管体６２と結合させることができ、すなわち通用性を備える。
【００１３】
図２に示すように、ハウジング３を、サポート板７０上に固定後、ファン６の電源線６３は、ハウジング３のコンセント３０に挿入することができ、この後、噴霧器の電源線３１を、家庭用電源コンセントに連接すれば、それで良い。よって、ファン６の電源線６３及び噴霧器の電源線３１を、同時に家庭用電源コンセントに差し込む必要はなく、電源の使用がより便利となる。
【００１４】
図６、７に示すように、弾性部品６１は、伸縮弾性を備えるため、さまざまな直径の円形管５１に適用して固定することができる。
【００１５】
噴霧器ハウジング３を固定するサポート板７０とタイトニング部品７５とが構成する螺固区間７９は、ファン６の管体６２上に固定することができる。そのため、噴霧器のハウジング３は、ファン６の管体６２と結合して固定し、これにより噴霧器は単独で販売され、その後にファンと結合することができる。また、タイトニング部品７５は可塑性を備えるため、ハウジング３は、さまざまな管径のファン管体と結合させられ、通用性を備える。各弾性部品６１も、伸縮性を備えるため、さまざまな管径の円形管５１に適用し、ファン６の前ファンネット６０上に固定することができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１８】
１  ミストファン
１０  ファン
１１  噴霧器
１０１  水タンク
１０２  底台
１０３  立管
２  水タンク
３  ハウジング
４  管部品
３０  コンセント
５  出水管
５０  ノズルヘッド
６  ファン
６０  前ファンネット
６１  弾性部品
７  固定装置
６２  管体
７０  サポート板
７１  嵌接槽
７２  開口
７３  ネジ孔
７５  タイトニング部品
７６  凹部
７７  翼板
７８  貫通孔
７９  螺固区間
８  ネジ
【図１】
0003191083.tif 000003
【図２】
0003191083.tif 000004
【図３】
0003191083.tif 000005
【図４】
0003191083.tif 000006
【図５】
0003191083.tif 000007
【図６】
0003191083.tif 000008
【図７】
0003191083.tif 000009